(57)【要約】アプリケーター（１０）は可撓性容器（１４）を有し、可撓性容器の上端部分（１６）に分与オリフィス（１８）を備える。多数の突起部を備える発泡材料のアプリケーターヘッド（２４）は可撓性容器の上端部分の外表面に固定される。可撓性容器（１４）内の物質（１２）は、分与オリフィス（１８）を介して物質（１２）を分与する際に、アプリケーターヘッド（２４）の発泡材料の外表面に流れる。アプリケーター（１０）はまた、取り外し可能なクロージャーキャップ（３０）を有し、そしてクロージャーキャップ（３０）の内表面及び可撓性容器（１４）の上端部分の外表面には解放可能な締結構造体が設けられ、それによりクロージャーキャップ（３０）を可撓性容器（１４）に解放可能に固定する。
2004504989.tif 000002
【特許請求の範囲】
【請求項１】
可撓性容器及びクロージャーキャップを有するアプリケーターであって、可撓性容器は少なくとも１つの分与オリフィスを備える上端部を有し、発泡材料のアプリケーターヘッドが多数の突起部を備え且つ可撓性容器の上端部の外表面に固定され、それにより分与オリフィスを介して分与する際に可撓性容器内の物質がアプリケーターヘッドの発泡材料を介して流れ、アプリケーターはクロージャーキャップの内表面及び可撓性容器の上端部の外表面に解放可能な締結構造体を有し、それによりクロージャーキャップを可撓性容器に解放可能に固定するアプリケーター。
【請求項２】
解放可能な締結構造体は、可撓性容器の上端部における多数の離間して外側に向いた突起と、可撓性容器の前記突起とスナップ嵌合するクロージャーキャップの内表面における多数の内側に向いた環状突起とを備える請求項１のアプリケーター。
【請求項３】
クロージャーキャップは楕円形の側壁を備え、可撓性容器の上端部が相応した楕円形状を成す請求項１のアプリケーター。
【請求項４】
発泡材料のディンプル付きアプリケーターヘッドが、等間隔で離間され且つアプリケーターヘッドの外側縁近くで楕円路に沿ってこの楕円路内に幾つかの付加的な突起をもって配列される多数の突起を備える請求項１のアプリケーター。
【発明の詳細な説明】
【０００１】
【発明の背景技術】
本発明は、可撓性容器及びクロージャーキャップを有するアプリケーター（Ａｐｐｌｉｃａｔｏｒ：塗布具）、そして特に容器内の物質を所望の場所へ分与し塗布するアプリケーターに関するものである。
多くの消費者製品は、それらを使用してから次の使用までの間製品の新鮮さを保つために取り外し可能なクロージャーキャップを備える小さな手持ち型容器に包装される。しかし、これらの容器及びクロージャーキャップ組立体は、構造が幾分複雑で、多くの場合、容器内の物質を分与するため単純に機能する。
【０００２】
【発明の概要】
本発明の目的は、構造が簡単でしかも使用するのに簡単であるアプリケーターを提供することにある。本発明の別の目的は、容器の内容物を所望の場所に分与し塗布するように機能するアプリケーターを提供することにある。本発明によれば、アプリケーターは、上端部に少なくとも１つの分与オリフィスを備えた可撓性容器を有する。多数の突起部を備えた発泡材料のアプリケーターヘッドは可撓性容器の上端部の外表面に固定され、それにより分与オリフィスを介して分与する際に可撓性容器内の物質はアプリケーターヘッドの発泡材料に流れる。クロージャーキャップは可撓性容器の上端部に取り外し可能にスナップ嵌合される。解放可能な締結構造体は、クロージャーキャップを可撓性容器に解放可能に固定するように、クロージャーキャップの内表面及び可撓性容器の上端部の外表面に配置される。
【０００３】
解放可能な締結構造体は好ましくは、可撓性容器の上端部における多数の離間して外側に向いた突起と、可撓性容器における突起とスナップ嵌合するクロージャーキャップの内表面における多数の内側に向いた突起とを備える。クロージャーキャップは好ましくは楕円形の側壁を備える。可撓性容器の上端部は相応した楕円形状を成す。
【０００４】
本発明の好ましい実施の形態では、発泡材料のアプリケーターヘッドは、等しい間隔で配列しかつアプリケーターヘッドの外側縁近くで楕円路に沿ってこの楕円路内に幾つかの付加的な突起をもって配列した多数の突起を備える。上記で述べたものに加えて、本発明の新規の特徴及び利点は、同じ部分に同じ参照符号で示す添付図面に関しての以下の詳細な説明から当業者には明かとなろう。
【０００５】
［発明の詳細な説明］
特に図面を参照すると、図１〜図８には、軟膏やクリームなどのような材料又は物質を分与し塗布するアプリケーター１０の外側の特徴を例示する。アプリケーター１０は、包装した物質に適合した任意の適当な熱可塑性樹脂材料から作られ得る。そのような熱可塑性樹脂材料としては例えばポリエチレン及びポリプロピレンがある。最終アプリケーター製品を作るのに当該技術において周知の押出及び溶着技術が用いられ得る。
【０００６】
アプリケーター１０は可撓性容器１４を有し、この可撓性容器１４は上端部分１６を備える。図９に最もよく示すように、容器の上端部分１６には分与オリフィス１８が設けられる。代わりに、分与オリフィスはオフセットされ得る及び（又は）１つ以上のオリフィスが用いられ得る。可撓性容器１４の下方端は直線状シール２０で閉じられる。
【０００７】
アプリケーター１０の上端部分１６は上向きにのびる側壁２２を備え、図９に最もよく示すように、多数の突起備えた発泡材料のアプリケーターヘッド２４は上向きにのびる側壁２２に固定される。発泡材料は独立気泡フォームから成り、物質１２は、可撓性容器１４がスキージされた時にフォームにおける通路４０を通ってアプリケーターヘッド２４の外表面へ流れ、それによりオリフィス１８を通って物質を発泡材料内に分与する。代わりに、アプリケーターヘッド２４の材料は、容器をスキージした時にアプリケーターヘッド２４が物質１２で含浸されるように選択され得る。
【０００８】
アプリケーターヘッド２４の上方表ハ面は多数の離間したバンプすなわち突起２６を備え、各突起２６はほぼ３．１８〜６．３５ｍｍ（１／８〜１／４インチ）の高さＢ及び３．１８〜６．３５ｍｍ（１／８〜１／４インチ）の半径Ａをもつ円形基部寸法を有する。図６に最もよく示すように、ディンプル２６は等間隔であり、そしてアプリケーターヘッドの外側縁近くで楕円路に沿ってこの楕円路内に幾つかの付加的な突起をもって配列される。１２個の突起が示されているが、突起が比較的大きい場合には、１２個以下でも十分であり得る。また突起が比較的小さい場合には、１２個以上の突起が望ましい。
【０００９】
アプリケーター１０はまた可撓性クロージャーキャップ３０を有し、このクロージャーキャップ３０はほぼ平坦な頂部３２及び下方へのびる包囲側壁３４を備える。クロージャーキャップ３０は、クロージャーキャップ３０を可撓性容器に解放可能に固定するため可撓性容器の上端部分１６にスナップ嵌合する。包囲側壁３４の内側及び可撓性容器の上端部分１６外側には、スナップ嵌合を行なう解放可能な締結構造体が配置される。包囲側壁３４の内側における解放可能な締結構造体は等間隔で内方にのびる四つの突起３６を備え、また可撓性容器の上端部分１６外側における解放可能な締結構造体は、包囲側壁３４における突起３６と垂直に整列して等間隔で外方にのびる４つの突起３８を備える。
【００１０】
本発明の好ましい実施の形態では、クロージャーキャップ３０の包囲側壁３４は楕円形であり、また可撓性容器の上端部分１６は相補的な楕円形である。従って、可撓性容器の上端部分１６にクロージャーキャップ３０を嵌合すると、突起３６、３８は常に互いに垂直に整列し、スナップ嵌合を形成する相互に望ましく干渉する。
【００１１】
使用に際しては、まず可撓性容器の上端部分１６からクロージャーキャップ３０を外して発泡材料のアプリケーターヘッド２４を露出させる。次に、容器１４を徐々に圧搾しオリフィス１８を介して物質１２を発泡材料の外表面へ分与する。その後、アプリケーターヘッド２４を所望の部位にこすり付けてその部位を刺激し同時に物質１２を塗布する。塗布処理の完了後、包装された物質の新鮮さを保持するためにクロージャーキャップ３０を戻し、可撓性容器の上端部分１６にスナップ嵌合する。
【図面の簡単な説明】
【図１】
本発明によるアプリケーターの正面図であり、背面図も同一である。
【図２】
図１に示すアプリケーターの右側面図であり、左側面図も同一である。
【図３】
図１及び図２に示すアプリケーターの平面図である。
【図４】
図１〜図３に示すアプリケーターの底面図である。
【図５】
クロージャーキャップを外した場合の図１〜図４に示すアプリケーターの正面図であり、背面図も同一である。
【図６】
クロージャーキャップを外した場合のアプリケーターの正面図である。
【図７】
クロージャーキャップを外した場合のアプリケーターの右側面図であり、左側面図も同一である。
【図８】
図１〜図４に示すクロージャーキャップの底面図である。
【図９】
図１と同様であるが、部分的に破断して内部構成を示す部分正面図である。
【図１０】
アプリケーターの発泡ヘッドの細部を示す部分拡大断面図である。
【国際公開パンフレット】
2004504989.tif 000003
2004504989.tif 000004
2004504989.tif 000005
2004504989.tif 000006
2004504989.tif 000007
2004504989.tif 000008
2004504989.tif 000009
2004504989.tif 000010
2004504989.tif 000011
2004504989.tif 000012
【国際調査報告】
2004504989.tif 000013
2004504989.tif 000014
2004504989.tif 000015